(57)【要約】      （修正有）【課題】好みに応じて模様、図柄を簡易迅速に染着でき、肌触りが良く、耐塩素性、耐熱性、耐薬品性が高く、伸張回復率が高く、製品寿命が長い女性用水着を提供する。【解決手段】合成繊維材としてのナイロンと、ポリウレタンを組み合わせその面積比を８０％、２０％に設定して織布を用意し、これを素材として女性用水着たとえば、ブラジャーやパンツを製作する。一方、粉状の染め粉４を水７を貯溜した貯槽容器６に投入し攪拌して加熱噐１０で加温し、液状染料９を作成する。そして女性用水着１の一部または全部に  手や止め具などで絞り、浸漬した後乾燥して女性用水着を製作する。【選択図】図１
0003230654.tif 000002
【実用新案登録請求の範囲】
【請求項１】
合成繊維材としてのナイロン及びポリウレタンの面積比が８０％と２０％の織布と、該織布で製作された女性用水着素材と、人為的手段又は機械的手段で該女性用水着素材の全部又は一部を絞り込んだ後に所定の加温した液状染料に浸漬して乾燥すると共に模様．図柄を該女性用水着素材に付着した構成と、でなることを特徴とする絞り浸漬による女性用水着。
【考案の詳細な説明】
【技術分野】
【０００１】本考案は、美麗に仕上げた女性用水着に関する。
【背景技術】
【０００２】この種、従来の女性用水着は、例えば、原料となるポリマーを化学的に製作した化学繊維としてのナイロン又はアクリル等単体の織布で構成した水着素材に染色加工を施し、水着として製品化したものがある。
そして、女性用水着に図形や模様を着ける場合は、一つには捺染であり色材で手描きすることや大量加工のとき、スタンプ方式やスクリーン方式、印刷方式がある。
【考案の概要】
【考案が解決しようとする課題】
【０００３】従来の女性用水着は製作までに、デザインの設定、配色別に色を分解し、スクリーン型枠や色糊の作成など複雑な工程を要し、実用化に適しない。また、上述の後者では、女性用水着製品の大量加工に適しているが、伸縮回復力や耐熱性に劣りまた、美麗感も損ない、加えて耐久性にも低下するものであった。とくに、図柄や模様が画一性であるという問題点があった。
【課題を解決するための手段】
【０００４】本考案は、かかる問題点を解決すべく創作したものである。即ち、
合成繊維材としてのナイロンと、同ポリウレタンを組み合わせその面積比を８０％、２０％に設定して織布を用意し、これを女性用水着たとえば、ブラジャーやパンツを素材として製作する。一方、粉状の染め粉を水が貯溜した貯槽容器に投入し攪拌して加温し、液状染料を作成する。そして女性用水着をその一部など手や止め具などで絞り、浸漬した後乾燥して女性用水着を製作することを特徴とする手段である。
【考案の効果】
【０００５】本考案によれば、予め製作された女性用水着素材に於いて、該女性用水着素材の例えば一部を作業者の手や指でこれを摘み又は握りによる人為的手段や染色機械又は工具等による機械的手段で把持する等いわゆる絞りを行い、その部分を圧縮．変形させて液状染料が浸入しない空隙部分を構成して該女性用水着素材に顧客の好みに応じて模様、図柄を簡易迅速に染着する効果がある。しかも、最終製品の女性用水着が肌触りが良いことは勿論のこと、その上に耐塩素性、耐熱性に加えて耐薬品性が高いという効果がある。また女性用水着の伸張回復率が高く、製品寿命が長いという効果がある。
【図面の簡単な説明】
【０００６】
【図１】本考案の好適な実施の形態にかかる図面であって、〔１〕は予め水を貯溜した貯槽容器に粒状、粉末状の染め粉を投入し、これを攪拌した状態を示す断面図、〔２〕は〔１〕の貯槽容器内の液状染料を加熱噐で加温し女性用水着素材の一部を絞り浸漬する状態を示す断面図である。
【図２】本考案により製品化した女性用水着の例を示す正面図である。
【考案を実施するための形態】
【０００７】以下、本考案を実施するための形態について詳細に説明する。
１は女性用水着素材であって、ナイロン８０％と、ポリウレタン２０％の面積比で構成された織布で作成されている。これは、いわゆる完成前の状態であって、顧客の好みに応じたデザインが可能である。ナイロンは、ポリアミド系樹脂の合成繊維で、例えば太い糸を紡糸して布に織り、ナイロン６６やナイロン６を使用するが、ナイロン６６が耐熱性に勝る。一方、ポリウレタンは、別名スパンデックスであって伸び率が極めて高い弾性繊維である。該ポリウレタンは、上記ナイロンと上述の配合で組み合せて長繊維とし、例えば該ポリウレタンを芯にしてナイロンを巻き付けた糸にして構成する。
前記女性用水着素材１は例えば図示するように胸の形をととのえその動きを抑制して首に係止する紐２を備えたブラジャー３と、股下部分が短い女性用下ばきであっていわゆるショーツ、短いパンツでなる。
【０００８】次に、染め粉４は粒、粉末状であって、赤、青、黄という色の三原色に従って予め別個に染め粉封入容器５を備える。そして、染め粉４を水７を貯溜してある貯槽容器６に図示するように投入する。そこで攪拌棒８で混ぜ例えば赤色の液状染料９を製作する。このように、青、黄、の各色も同様に三原色に沿った液状染料９を用意する。また、赤と青の色を混合して紫色に、黄色と赤色を混合してオレンジ色、黄色と青色を混合して緑色の液状染料９を用意する。赤、青、黄という色の反対色は、補色であり、それぞれ緑、オレンジ、紫の各色である。この補色を用いると色を鮮やかにする機能があり、この考案では、多種多様なものを用意し顧客の好みに応じる。
次に、図１〔２〕に示す加熱噐１０で液状染料９を高温例えば摂氏１００度位に加温する。所定時間後、液状染料９はさらに染め粉４等を更に溶解する。一方、前記女性用水着素材１の一部に図示するＯ印のＡ部分をいわゆる、絞り、を行う、例えば作業者が該当部分を手や指で掴みゴムや紐で縛りつけて液状染料９内に浸漬する。かかる場合、液状染料９の染色は顧客の好みに応じて選定する。上述のほかに前記女性用水着素材１の全部でも構わない。所定時間後、浸漬した女性用水着素材１を引き上げる。そして別置したドライヤー等の乾燥手段で女性用水着素材１を所定時間まで乾燥処理する。その結果、図２に示すような美麗感を有する製品としての女性用水着１１が完成する。１２はブラジャー、１３はショーツであり該女性用水着１１に美しく、鮮やかに模様．図柄が現出していることが分かる。本考案の製作過程については、上述したので再度述べない。
【実施例１】
【０００９】次に、本考案に適用する液状染料を説明すると、染料は合成染料であって、対象繊維に適した染料がある。本考案に係わる女性用水着素材１はナイロンを多く占めており、いわゆる反応染料と、水溶性のアニオン基を有するで染料あって、繊維のカチオン基とイオン結合する酸性染料を適用する。そして、それに金属原子クロムを包含してもよい。これら前記した染料材を粒、粉末状の粉にする。例えばコールダイホットと称する粉を使用するそして前記女性用水着素材１は緻密な結晶部分と粗雑な結晶部分とから成立し、染色する際に液状染料９が女性用水着素材１の表面に吸着されその間隙に入り込み染着する。特に、前記した酸性染料や金属原子クロムを包含した酸性染料を液状染料９に使用すると染着効率が上昇もする。
【実施例２】
【００１０】本考案は上述した作業者の手や指に基ずくいわゆる絞り手段に限定する外機械的手段を適用できる。例えば、ロープ状にした織布の反始と反末を結合してリールの回転で織布、つまり、女性用水着素材１を引き上げ、移動回転して染色する。この機械はウインス染色機である。また、左右の２本のローラに織布を拡布状で巻回し、ローラ間で往復させて染色する。この機械はジッガー染色機である。また、多孔のビーム管に織布を巻き込み、ポンプで液状染料９をの間に通して織布を染色する。この機械はビーム染色機である。上記の各機械にいわゆる絞り手段用のア−ム等を付設することで女性用水着素材１の模様、図柄を成形することができる。【００１１】本考案は女性のブラジャー１２やショーツ１３ばかりかこれが一体となったキャミソール、ホールターやストラップレス等にも適用できる。また本考案は女性のみならず男性用水着や敷布、その他各種の下着類にも適用できる。
【産業上利用可能性】
【００１２】本考案は簡易迅速な手順で美麗感の富む女性用水着ほかあらゆる衣服などにも適用でき産業上利用可能性を有するものである。
【符号の説明】
【００１３】１  女性用水着素材、    ２  紐、    ３  女性用水着素材のブラジャー、
４  染め粉、            ５  染め粉封入容器、    ６  貯槽容器、
７  水、    ８  攪拌棒、    ９  液状染料、    １０  加熱噐、
１１  女性用水着、    １２  ブラジャー、    １３  ショーツ
【図１】
0003230654.tif 000003
【図２】
0003230654.tif 000004